(57)【要約】【課題】本体周囲の塵埃の吹き飛ばしを抑制することができる電気掃除機を提供することを目的としている。【解決手段】本体を浮上させる空気圧を得るための圧力室の壁部材から吹き出される気流が、スカート部を経由して本体の内側方向へ回る気流と衝突し、孔を通して上方向へ排気されるので、本体の周辺の床面の塵埃が吹き飛ぶような事態を回避することができるという効果を得る。【選択図】          図２
2005006715.tif 000002
【特許請求の範囲】
【請求項１】
モータの排気を床面方向へ導き、当該排気流を圧力室に蓄積し、本体を浮上させて移動可能とした電気掃除機において、
上記圧力室の外側にスカート部を設け、
上記排気流の一部を上記スカート部へ導き、上記スカート部から排出される気流を上記圧力室から排出される気流へ衝突させ、浮力にかかる気流が床面に沿って本体より発散されることを防止するようにしたことを特徴とする電気掃除機。
【請求項２】
前記排気流の一部は、前記圧力室の内部より前記スカート部へ分岐されることを特徴とする請求項１記載の電気掃除機。
【請求項３】
前記排気流の一部は、前記モータと前記圧力室との間の空間より前記スカート部へ分岐されることを特徴とする請求項１記載の電気掃除機。
【請求項４】
前記圧力室の壁面は、前記スカート部の壁面よりもより床面に近い位置まで延長されていることを特徴とする請求項１または請求項２または請求項３記載の電気掃除機。
【請求項５】
前記スカート部は、分割可能に構成されることを特徴とする請求項１または請求項２または請求項３または請求項４記載の電気掃除機。
【請求項６】
前記圧力室の壁面は、その上端部が本体内側方向へ湾曲しており、その湾曲部で床面に最接近する部分は、低抵抗材質で形成されることを特徴とする請求項１または請求項２または請求項３または請求項４または請求項５記載の電気掃除機。
【請求項７】
モータの排気を床面方向へ導き、当該排気流を圧力室に蓄積し、本体を浮上させて移動可能とした電気掃除機において、
上記圧力室の壁面の上端部は、所定寸法床面と平行なストレート部と、このストレート部に連結し、本体外側上方向へ湾曲する湾曲部を有することを特徴とする電気掃除機。
【請求項８】
前記圧力室の壁面の湾曲部には、所定数の車輪が所定態様で設けられていることを特徴とする請求項７記載の電気掃除機。
【請求項９】
モータの排気を床面方向へ導き、当該排気流を圧力室に蓄積し、床面より本体を浮上させる略円筒状に形成された本体と、
上記本体を収容するとともに上記床面を構成する車体部からなる電気掃除機。
【発明の詳細な説明】
【０００１】
【発明の属する技術分野】
本発明は、モータの排気を床面方向へ導き、当該排気流を圧力室に蓄積し、本体を浮上させて移動可能とした電気掃除機に関する。
【０００２】
【従来の技術】
従来より、モータの排気を床面方向へ導き、当該排気流を圧力室に蓄積し、本体を浮上させて移動可能とした電気掃除機（以下、「浮上式電気掃除機」という）が提案されている（特許文献１を参照）。
【０００３】
【特許文献１】
特開平６−１３３９００号公報
【０００４】
この浮上式電気掃除機は、本体が床面と接触しないため、ユーザが吸い込み口が付いたホース（以下、「掃除用ホース」という）を移動する際、そのユーザが操作する掃除用ホースの動きに従って円滑に移動するので、ユーザの作業が楽に行えるという利点がある。
【０００５】
【発明が解決しようとする課題】
しかしながら、このような浮上式電気掃除機では、圧力室から吹き出す気流が、本体周囲の塵埃を吹き飛ばすため、ユーザの意図する清掃作業が行えないおそれがあった。
【０００６】
本発明は、かかる実情に鑑みてなされたものであり、本体周囲の塵埃の吹き飛ばしを抑制することができる電気掃除機を提供することを目的としている。
【０００７】
【課題を解決するための手段】
本発明は、モータの排気を床面方向へ導き、当該排気流を圧力室に蓄積し、本体を浮上させて移動可能とした電気掃除機において、上記圧力室の外側にスカート部を設け、上記排気流の一部を上記スカート部へ導き、上記スカート部から排出される気流を上記圧力室から排出される気流へ衝突させ、浮力にかかる気流が床面に沿って本体より発散されることを防止するようにしたものである。
【０００８】
また、前記排気流の一部は、前記圧力室の内部より前記スカート部へ分岐されるものである。
【０００９】
また、前記排気流の一部は、前記モータと前記圧力室との間の空間より前記スカート部へ分岐されるものである。
【００１０】
また、前記圧力室の壁面は、前記スカート部の壁面よりもより床面に近い位置まで延長されているものである。
【００１１】
また、前記スカート部および前記圧力室は、分割可能に構成されるものである。
【００１２】
また、前記圧力室の壁面は、その上端部が本体内側方向へ湾曲しており、その湾曲部で床面に最接近する部分は、低抵抗材質で形成されるものである。
【００１３】
また、モータの排気を床面方向へ導き、当該排気流を圧力室に蓄積し、本体を浮上させて移動可能とした電気掃除機において、上記圧力室の壁面の上端部は、所定寸法床面と平行なストレート部と、このストレート部に連結し、本体外側上方向へ湾曲する湾曲部を有するものである。また、前記圧力室の壁面の湾曲部には、所定数の車輪が所定態様で設けられているものである。
【００１４】
また、モータの排気を床面方向へ導き、当該排気流を圧力室に蓄積し、床面より本体を浮上させる略円筒状に形成された本体と、上記本体を収容するとともに上記床面を構成する車体部からなるものである。
【００１５】
【発明の実施の形態】
以下、添付図面を参照しながら、本発明の実施の形態を詳細に説明する。
【００１６】
図１、図２、および、図３は、本発明の一実施例にかかる浮上式電気掃除機の一例を示している。また、本実施例では、吸気中の塵埃を除去する方式として、いわゆる、サイクロン方式を適用している。
【００１７】
図において、この浮上式電気掃除機の本体１は、略円筒状に形成されており、本体１の下部にはスカート部２が設けられている。本体１の中央部には、モータ３が固定されるモータ室４が設けられており、連結部５には、ホース６が連結される。
【００１８】
また、連結部５を介して、ホース６より流入した空気は、通路７を通って、本体１の上部に設けられているサイクロン方式の分離部８へ導かれ、分離部８を旋回中に、吸気中に含まれる塵埃が集塵室９へ集められる。
【００１９】
また、吸気流は、モータ室４の上端部に設けられている吸気フィルタ１０を介してモータ室４へと至り、さらに、モータ室４の下端部に設けられている排気フィルタ１１を介して、本体１の下側に設けられている圧力室１２へ至る。
【００２０】
圧力室１２は、その周囲が壁部材１３により仕切られており、そのさらに外側には、後述する気流を案内するための仕切部材１４が設けられている。また、仕切部材１４には、気流を上方向に逃がすための孔１５が設けられており、スカート部２のこの孔１５の直上位置には、気流を上方向へ逃がすための孔１６が設けられている。また、孔１５および孔１６は、適宜な間隔で本体１の周囲に、複数設けられる。
【００２１】
また、集塵室９の下位置には、電源コードを巻き取るためのコードリール１７が収容されている。
【００２２】
また、壁部材１３が床面に対向する部分１３ａは、本体１の内側方向へ湾曲する態様に形成されている。また、部分１３ａと床面との距離は、スカート部２が最も床面に近づく端部２ａと床面との距離よりも小さくなるように設定されている。
【００２３】
また、スカート部２には、モータ室４から通路１８により分岐された気流が送り込まれる。
【００２４】
したがって、この浮上式電気掃除機に電源を投入してを起動すると、図４に示したように、モータ室４から圧力室１２へ排気流が送り出されて、圧力室１２の圧力が十分な大きさになると、本体１が床面より浮上する。
【００２５】
それとともに、圧力室１２の壁部材１３の部分１３ａが、床面から離れるため、部分１３ａと床面との間の隙間から排気が外へ放出される。
【００２６】
一方、モータ室４から通路１８を介して、スカート部２の内側へ気流が送り込まれるので、スカート部２の端部２ａと仕切部材１４の先端の隙間から、気流が本体１の内側の圧力室１２の方向へと吹き出される。
【００２７】
その結果、圧力室１２から放出される排気流は、スカート部２の端部２ａと仕切部材１４との隙間から吹き出される気流と衝突し、それらが合わさった後の気流は、上方向へ方向を偏向する。そして、その方向を偏向した気流は、仕切部材１４の孔１５とスカート部２の孔１６を介して、本体１の外部へと至る（図５参照）。
【００２８】
このようにして、本実施例では、本体１を浮上させる空気圧を得るための圧力室１２の壁部材１３から吹き出される気流が、スカート部２を経由して本体１の内側方向へ回る気流と衝突し、孔１５，１６を通して上方向へ排気されるので、本体１の周辺の床面の塵埃が吹き飛ぶような事態を回避することができる。
【００２９】
図６および図７は、本発明の他の実施例にかかる浮上式電気掃除機の一例を示している。なお、図において、図１〜図３と同一部分および相当する部分には同一符号を付して、その説明を省略する。
【００３０】
本実施例では、スカート部２へ分岐される気流は、モータ室４から排気フィルタ１１を介して圧力室１２へ至る途中の経路に一方の開口部が設けられている通路２１を介して、スカート部２へと導かれる。
【００３１】
この場合も、上述した実施例と同様に、圧力室１２の壁部材１３の端部１３ａと床面との隙間から放出される排気流は、スカート部２の端部２ａと仕切部材１４との隙間から吹き出される気流と衝突し、それらが合わさった後の気流は、上方向へ方向を偏向する。そして、その方向を偏向した気流は、仕切部材１４の孔１５とスカート部２の孔１６を介して、本体１の外部へと至る。
【００３２】
このようにして、本実施例の場合も、本体１を浮上させる空気圧を得るための圧力室１２の壁部材１３から吹き出される気流が、スカート部２を経由して本体１の内側方向へ回る気流と衝突し、孔１５，１６を通して上方向へ排気されるので、本体１の周辺の床面の塵埃が吹き飛ぶような事態を回避することができる。
【００３３】
ところで、ユーザがホース６を操作して浮上式電気掃除機を移動する際、本体１が傾斜したり、あるいは、床面に段差等があった場合には、壁部材１３の端部１３ａは、床面と接触する。このような事態が生じた場合に、本体１の移動を円滑にするために、例えば、図８、図９、および、図１０に示すように、端部１３ａを低抵抗材質ＳＡで構成することが好ましい。なお、図８〜１０において、図１〜７と同一部分および相当する部分には、同一符号を付して、その説明を省略する。
【００３４】
この低抵抗材質ＳＡは、例えば、起毛された繊維材質等、床面との間の摩擦抵抗を低減できる材質であれば、適宜なものを用いることができる。また、この低抵抗材質ＳＡを端部１３ａに形成する際には、例えば、インサート成型の製法等の適宜な工程を適用することができる。
【００３５】
ところで、浮上式電気掃除機をある程度の期間使用していると、塵埃がスカート部２の下部や、圧力室１２の壁部材１３および仕切部材１４に付着して、汚れてくると予想される。
【００３６】
そこで、図１１に示すように、スカート部２を上部２Ａと下部２Ｂの上下２分割可能に構成し、汚れが付着する下部２Ｂを独立して清掃できるようにする。上部２Ａと下部２Ｂの連結は、図１２に示すような上部２Ａと下部２Ｂに設けた係止機構２Ｃにより行うことができる。また、この係止機構２Ｃは、本体１の周囲に適宜な個数を設けることができる。
【００３７】
また、壁部材１３と仕切部材１４を本体１から取り外しできるように、壁部材１３と仕切部材１４を一体に形成するとともに、壁部材１３の上端部には、連結のために本体１に設けられた爪１ａが突入する係合穴１３ｂを設ける（図１３参照）。また、この爪１ａと係合穴１３ｂからなる係合機構は、本体１の周囲に適宜な個数を設けることができる。
【００３８】
これにより、本体１より壁部材１３と仕切部材１４を取り外して、清掃することができ、衛生的である。
【００３９】
図１４は、本発明のさらに他の実施例にかかる浮上式電気掃除機の一例を示している。なお、図において、図３と同一部分および相当する部分には、同一部分を付している。
【００４０】
同図において、この浮上式電気掃除機の本体１は、略円筒状に形成されており、本体１の中央部には、モータ３が固定されるモータ室４が設けられており、連結部５には、ホース６が連結される。
【００４１】
また、連結部５を介して、ホース６より流入した空気は、通路７を通って、本体１の上部に設けられているサイクロン方式の分離部８へ導かれ、分離部８を旋回中に、吸気中に含まれる塵埃が集塵室９へ集められる。
【００４２】
また、吸気流は、モータ室４の上端部に設けられている吸気フィルタ１０を介してモータ室４へと至り、さらに、モータ室４の下端部に設けられている排気フィルタ１１を介して、本体１の下側に設けられている圧力室１２へ至る。圧力室１２は、その周囲が本体１の側壁の一部を構成する壁部材２２により仕切られている。
【００４３】
また、集塵室９の下位置には、電源コードを巻き取るためのコードリール１７が収容されている。
【００４４】
また、図１５に示すように、壁部材２２の先端部は、本体１の内側に向かって湾曲する湾曲部２２ａと、湾曲部２２ａに連結して床面と平行に延びるストレート部２２ｂと、ストレート部２２ｂに連結して上方向へ湾曲する湾曲部２２ｃの３つの部分から構成されている。
【００４５】
したがって、この浮上式電気掃除機に電源を投入してを起動して、モータ３が送風を開始すると、モータ室４から圧力室１２へ排気流が送り出されて、圧力室１２の圧力が十分な大きさになると、本体１が床面より浮上する。
【００４６】
また、このとき図１５の矢印ＲＲで示すように、壁部材２２の先端部と、床面の隙間から気流が本体１の外側へと向かって放出される。
【００４７】
このとき、ストレート部２２ｂのコアンダー効果により、本体１の外側へ放出される気流は、壁部材２２のストレート部２２ｂから湾曲部２２ａへ案内され、湾曲部２２ａの曲面に沿って上方向へと向きを変える。
【００４８】
その結果、本体１の周囲の床面の塵埃は、圧力室１２より放出される気流によって飛散されることはなく、本体１の周囲に塵埃がまき散らされるような事態を回避することができる。
【００４９】
ここで、コアンダー効果とは、「物体と接する表面上の気流がその形状に沿って誘導される現象」のことを言う。したがって、壁部材２２の端部を、このコアンダー効果を得ることができる適宜な形状にすることで、本実施例と同等の効果を得ることができる。
【００５０】
図１６、図１７、および、図１８は、本発明のさらに他の実施例にかかる浮上式電気掃除機の一例を示している。なお、同図において、図１４と同一部部分および相当する部分には同一符号を付して、その説明を省略している。
【００５１】
この実施例では、圧力室１２の壁部材２３を厚みのある形状とし、その内側に車輪２４を設けている。また、壁部材２３の床面と対向する部分２３ａは、上述したコアンダー効果を得られる形状に形成している。また、車輪２４は、本体１の下側に４つ、互いに中心角９０°となるような態様で配置されている。
【００５２】
したがって、この浮上式電気掃除機に電源を投入する前の状態では、車輪２４が床面に接地する態様で、ユーザがホース６を操作する態様に応じて、本体１が床面上を移動する。
【００５３】
そして、この浮上式電気掃除機に電源を投入して起動し、モータ３が送風を開始すると、モータ室４から圧力室１２へ排気流が送り出されて、圧力室１２の圧力が十分な大きさになると、本体１が床面より浮上する。また、このときには、車輪２４は、床面から離れた態様となり、ユーザがホース６を操作する態様に応じて、本体１は滑らかに移動する。
【００５４】
また、この状態で本体１を移動しているとき、段差にさしかかった際や、本体１が傾斜した際など、車輪２４が床面と接触する態様となり、したがって、壁部材２３の部分２３ａが床面に接触して床面を傷つけるなどの不具合が発生することを抑制することができる。
【００５５】
図１９および図２０は、本発明の別な実施例を示している。本実施例では、図１４に示した浮上式電気掃除機の本体１を台車３０に収容したものであり、図１４と同一部分および相当する部分には、同一符号を付して、その説明を省略する。
【００５６】
台車３０には、前方に回動自在なキャスター３１、および、車輪３２，３３が設けられている。したがって、本体１のホース６をユーザが操作すると、その操作態様に追従して、台車３０が移動する。
【００５７】
また、浮上式電気掃除機に電源を投入していない状態では、本体１は、台車３０に収容された状態で台車３０の上面３０ａに乗る状態となり、台車３０の移動に伴って移動する。
【００５８】
そして、浮上式電気掃除機に電源を投入して起動し、モータ３が送風を開始すると、モータ室４から圧力室１２へ排気流が送り出されて、圧力室１２の圧力が十分な大きさになると、本体１が台車３０の上面３０ａより浮上する。
【００５９】
また、この状態で、ユーザがホース６を操作して本体１に回動方向の力が作用すると、本体１は台車３０の上面３０ａより浮上しているので、本体１はほとんど抵抗を受けることなく、台車３０の上で回転する。したがって、ユーザがホース６を引き回すときなど、非常に軽い力で操作することができる。
【００６０】
また、ユーザがホース６を操作して、本体１を前後左右へ移動する場合は、そのホース６の操作に伴ってキャスター３１および車輪３２，３３が回転するので、ユーザは、この浮上式電気掃除機を簡単に移動することができる。
【００６１】
また、本実施例では、本体１が床面から台車３０を隔てて隔離されているので、本体１あるいは台車３０の周囲の床面の塵埃が、圧力室１２より放出される気流によって飛散されることはなく、その結果、本体１の周囲に塵埃がまき散らされるような事態を回避することができる。
【００６２】
【発明の効果】
以上説明したように、本発明によれば、本体を浮上させる空気圧を得るための圧力室の壁部材から吹き出される気流が、スカート部を経由して本体の内側方向へ回る気流と衝突し、孔を通して上方向へ排気されるので、本体の周辺の床面の塵埃が吹き飛ぶような事態を回避することができるという効果を得る。
【００６３】
また、圧力室の壁部材の床面と対向する部分を低抵抗材質で形成したので、浮上式電気掃除機を移動する際、本体が傾斜する等したり、あるいは、床面に段差等があった場合で、壁部材のその部分が床面と接触した場合でも、本体を円滑に移動することができるという効果も得る。
【００６４】
また、圧力室の壁部材の床面と対向する部分を、コアンダー効果を得られる形状に形成したので、圧力室の壁部材から吹き出される気流は、壁部材の外側壁に沿って案内されるので、本体の周辺の床面の塵埃が吹き飛ぶような事態を回避することができるという効果を得る。また、その壁部材の内側に車輪を設けたので、浮上式電気掃除機を移動する際、本体が傾斜する等した場合、車輪が床面と接触するので、床面を傷つけるなどの不具合が発生することを抑制することができるという効果も得る。
【００６５】
また、浮上式電気掃除機の本体を台車に収容したので、起動中におけるユーザの操作が非常に軽くなるとともに、円滑な清掃作業を行うことができる。
【図面の簡単な説明】
【図１】本発明の一実施例にかかる浮上式電気掃除機の一例を示した概略側面図。
【図２】本発明の一実施例にかかる浮上式電気掃除機の一例を示した概略平面図。
【図３】本発明の一実施例にかかる浮上式電気掃除機の一例を示した概略部分断面図（垂直方向断面）。
【図４】本発明の一実施例にかかる浮上式電気掃除機の動作を説明するための概略部分断面図（垂直方向断面）。
【図５】本発明の一実施例にかかる浮上式電気掃除機の動作を説明するための概略平面図。
【図６】本発明の他の実施例にかかる浮上式電気掃除機の一例を示した概略部分断面図（垂直方向断面）。
【図７】図６に示した実施例の要部部分断面拡大図。
【図８】本発明のさらに他の実施例にかかる浮上式電気掃除機の動作を説明するための概略部分断面図（垂直方向断面）。
【図９】図８に示した実施例の要部部分断面拡大図。
【図１０】図８に示した実施例の底面図。
【図１１】本発明のまたさらに他の実施例にかかる浮上式電気掃除機の動作を説明するための概略部分断面部分組立図（垂直方向断面）。
【図１２】図１１に示した実施例の要部部分断面拡大図。
【図１３】図１１に示した実施例の要部部分断面拡大図。
【図１４】本発明のさらに他の実施例にかかる浮上式電気掃除機の一例を示した概略部分断面部分組立図（垂直方向断面）。
【図１５】図１４に示した実施例の要部部分断面拡大図。
【図１６】本発明のさらに他の実施例にかかる浮上式電気掃除機の一例を示した概略部分断面図（垂直方向断面）。
【図１７】図１６に示した実施例の要部部分断面拡大図。
【図１８】図１６に示した実施例の底面図。
【図１９】本発明の別な実施例にかかる浮上式電気掃除機の一例を示した概略側面図。
【図２０】本発明の別な実施例にかかる浮上式電気掃除機の一例を示した概略部分断面図（垂直方向断面）。
【符号の説明】
１  本体
１ａ  爪
２  スカート部
２Ａ  上部
２Ｂ  下部
２Ｃ  係止機構
２ａ  端部
１２  圧力室
１３，２２  壁部材
１３ａ  部分
１３ｂ  係合穴
１４  仕切部材
１５，１６  孔
２２ａ，２２ｃ  湾曲部
２２ｂ  ストレート部
２４，３２，３３  車輪
３０  台車
３０ａ  上面
３１  キャスター
ＳＡ  低抵抗材質
【図１】
2005006715.tif 000003
【図２】
2005006715.tif 000004
【図３】
2005006715.tif 000005
【図４】
2005006715.tif 000006
【図５】
2005006715.tif 000007
【図６】
2005006715.tif 000008
【図７】
2005006715.tif 000009
【図８】
2005006715.tif 000010
【図９】
2005006715.tif 000011
【図１０】
2005006715.tif 000012
【図１１】
2005006715.tif 000013
【図１２】
2005006715.tif 000014
【図１３】
2005006715.tif 000015
【図１４】
2005006715.tif 000016
【図１５】
2005006715.tif 000017
【図１６】
2005006715.tif 000018
【図１７】
2005006715.tif 000019
【図１８】
2005006715.tif 000020
【図１９】
2005006715.tif 000021
【図２０】
2005006715.tif 000022